(57)【要約】【課題】  厚み方向に長くすることなく、それでいて、効率の良い室内の空気の調湿又は／及び脱臭を行なうことで、これらの効果を確実に発揮することができる内装パネルを提供する。【解決手段】  一方の端部に設けられた第１の通気開口１と他方の端部に設けられた第２の通気開口２と、を前面に開口するように設けることで内装パネル本体３を構成し、内装パネル本体３の内部に通気路４を設ける。また、この通気路４内を通気方向Ｂに連通させるようにしてハニカム材５を設ける。しかも、第１の通気開口１とハニカム材５との間に第１の通気開口１から吸気した空気を通気路４内の通気方向Ｂと略直角な方向に拡散させる拡散部６を設け、ハニカム材５と第２の通気開口２との間に連通部７を設ける。そして、上述したハニカム材５は内装パネル本体３の厚み内に収まる扁平な形状で且つ通気方向Ｂにおける内装パネル本体３の略全長に亘る長さに形成した。【選択図】        図１
2010180559.tif 000002
【特許請求の範囲】
【請求項１】
壁面に沿って設置される扁平矩形の内装パネルであって、上下方向の上下端部あるいは幅方向の左右端部のいずれかのうち一方の端部に設けられた第１の通気開口と他方の端部に設けられた第２の通気開口とを前面に開口するように設けることで内装パネル本体を構成し、内装パネル本体の内部に第１の通気開口と第２の通気開口とを連通する通気路を設け、該通気路内を通気方向に連通させるようにして調湿又は／及び脱臭するハニカム材を設け、第１の通気開口とハニカム材との間に第１の通気開口から吸気した空気を通気路内の通気方向と略直角な方向に拡散させる拡散部を設け、ハニカム材と第２の通気開口との間に連通部を設け、前記ハニカム材は内装パネル本体の厚み内に収まる扁平な形状で且つ通気方向における内装パネル本体の略全長に亘る長さに形成されて成ることを特徴とする内装パネル。
【請求項２】
前記ハニカム材は、通気路内において通気方向と略直角な方向の略全長に亘って形成されて成る請求項１に記載の内装パネル。
【請求項３】
前記内装パネル本体内の通気路の一部に通気方向に沿うように送風する送風手段を設けて成る請求項１又は請求項２のいずれかに記載の内装パネル。
【発明の詳細な説明】
【技術分野】
【０００１】
本発明は、建築物の内装パネルに関するものである。
【背景技術】
【０００２】
従来から、建築物の壁内部に空気循環路を設けると共に、その空気循環路内に調湿部材を設け、その空気循環路に室内空気を通して循環を行なうことで、室内の空気の調湿を行なうようにしたものとして、例えば特許文献１のものが知られている。
【０００３】
この特許文献１により示すものは、壁面の天井近くに吸気部を設けると共に床近くに排気部を設け、この吸気部と排気部とを連通した断面正方形状の空気循環路を形成することで構成されている。この空気循環路の上下方向の一部に、空気循環路の断面の一辺と略同じ長さの辺によって形成される断面正方形状のハニカム構造体から成る調湿浄化部材が設けられている。
【０００４】
壁面に形成されている空気循環路は上下方向に長く形成されているのに対して、この調湿浄化部材は上下に長い空気循環路のほんの一部となるように設けられている。
【先行技術文献】
【特許文献】
【０００５】
【特許文献１】特開２００２−２３９３２６号公報
【発明の概要】
【発明が解決しようとする課題】
【０００６】
ところで、このような空気循環路を壁内に設けるに当たっては、この断面正方形状の空気循環路を設けることによる強度の低下を考慮し、且つ、断面正方形状の調湿浄化部材の形状を埋設することを考慮した壁面の厚さとしなければならないため、壁面厚さには相当の厚みを必要とするものであり、さらに、この調湿浄化部材は、上下方向（通気方向）の長さが非常に短く形成されたものであるため、調湿効果が十分に発揮できるものとはなっていなかった。
【０００７】
そこで、本発明の発明者が本発明に至る過程で、内装パネルにこのような調湿浄化部材を設けるに当たり、上下に長く且つ扁平な形状のハニカム構造体で形成された調湿材を創出し、内装パネル内に設けようとした。
【０００８】
ところが、ただ単に上下に長く且つ扁平な形状のハニカム材を内装パネル内に設けただけでは、吸気部により吸気された室内空気をハニカム材の幅方向全体に均等に行き亘らせることができず、効果的な室内空気の循環や調湿効果の発揮ができるものとはならないという問題があった。
【０００９】
本発明は、上記従来の問題に鑑みてなされたものであり、その目的とするところは、パネル形状にして厚みを大きくすることなく、それでいて、室内の空気の調湿又は／及び脱臭効果を確実に発揮することができる内装パネルを提供することにある。
【課題を解決するための手段】
【００１０】
上記課題を解決するために本願発明は以下の構成を備えている。
【００１１】
すなわち、請求項１に係る発明にあっては、壁面に沿って設置される扁平矩形の内装パネルＡにおいて、上下方向の上下端部あるいは幅方向の左右端部のいずれかのうち一方の端部に設けられた第１の通気開口１と、他方の端部に設けられた第２の通気開口２と、を前面に開口するように設けることで内装パネル本体３を構成し、内装パネル本体３の内部に第１の通気開口１と第２の通気開口２とを連通する通気路４を設ける。また、この通気路４内を通気方向Ｂに連通させるようにして調湿又は／及び脱臭するハニカム材５を設ける。しかも、第１の通気開口１とハニカム材５との間に第１の通気開口１から吸気した空気を通気路４内の通気方向Ｂと略直角な方向に拡散させる拡散部６を設け、ハニカム材５と第２の通気開口２との間に連通部７を設ける。そして、上述したハニカム材５は内装パネル本体３の厚み内に収まる扁平な形状で且つ通気方向Ｂにおける内装パネル本体３の略全長に亘る長さに形成した。
【００１２】
このように構成したことで、厚みを薄く保ったままの内装パネルＡの内部に、扁平で且つ内装パネルの通気方向Ｂの略全長に亘る長さに形成されたハニカム材５を収容することができる。つまり、このようにハニカム材５を内装パネルの厚み内に収まる扁平な形状で、且つ、内装パネルＡの通気方向Ｂの略全長に亘る長さで形成したとしても、ハニカム材５と第１の通気開口１との間に拡散部６が設けてあるから、第１の通気開口１により吸気した空気をこの扁平なハニカム材５の幅方向の全長に略均等に行き亘らせることができる。しかも、このように拡散部６を設けた結果、ハニカム材５を内装パネルＡの通気方向Ｂにおける略全長に亘る長さに形成することが可能となったから、このハニカム材５を通過する空気の調湿又は／及び脱臭を効果的に且つ確実に行なうことができる。
【００１３】
また、請求項２に係る発明にあっては、請求項１に係る発明において、ハニカム材５を、通気路４内において通気方向Ｂと略直角な方向の略全長に亘って形成するようにした。
【００１４】
このように構成したことで、請求項１に係る効果に加えて、調湿又は／及び脱臭できる空気の容量をより増大させることができるようになり、調湿又は／及び脱臭効果を高めることができる。
【００１５】
また、請求項３に係る発明にあっては、請求項１あるいは請求項２のいずれかに係る発明において、内装パネル本体３内の通気路４の一部に通気方向Ｂに沿うように送風する送風手段８を設けた。
【００１６】
このように構成したことで、請求項１又は請求項２に係る効果に加えて、空気の調湿又は／及び脱臭作用を促進することができて、内装パネルＡによる調湿又は／及び脱臭効果をより向上することができる。
【発明の効果】
【００１７】
本発明によれば、別途調湿又は／及び脱臭装置を設けなくとも、厚みの大きくない内装パネルを壁面に設けるだけで、室内の調湿又は／及び脱臭を確実にできるので、室内における快適さを向上させる効果はもとより、省スペース化を図ることができて、室内のすっきりとした外観を形成することに資するものである。
【図面の簡単な説明】
【００１８】
【図１】本発明の第１の実施形態の斜視図である。
【図２】同上の分解斜視図である。
【図３】第２の実施形態のハニカム材の概略斜視図である。
【図４】本実施形態の内装パネルの取り付け方法を説明する上部断面図である。
【図５】同上の他の取り付け方法を説明する上部断面図である。
【発明を実施するための形態】
【００１９】
以下、本発明について添付図面に基づいて説明する。
【００２０】
本実施形態の内装パネルＡは、図２に示すように、内装パネルＡの外郭を構成し内部を中空とする内装パネル本体３と、この内装パネル本体３の内部に収容されるハニカム材５と、このハニカム材５の下部に位置する拡散部６と、ハニカム材５の上部に位置する連通部７と、を備え、この内装パネル本体３の前面の上下端部のうちの一方の端部である下端部に第１の通気開口１としての吸気部１ａを設け、他方の端部である上端部に第２の通気開口２としての排気部２ａが設けられている。
【００２１】
本実施形態の内装パネル本体３は、背面側の主体を構成するベース材９と、ベース材９の下端と連結されて内装パネル本体３の背面下部を構成する下外郭部１０と、ベース材９の上端と連結されて内装パネル本体３の背面上部を構成する上外郭部１１と、ベース材９の前方に設けられる前面板１２と、前面板１２の上端に設けられた排気部カバー１３と、前面板１２の下端に設けられた吸気部カバー１４と、を備えており、これらを組み合わせることにより内部に空間を有し、扁平矩形状に形成されるパネル状の内装パネル本体３が構成される。
【００２２】
この背面側に設けられるベース材９は、図２に示すように、内装パネルＡの背面を構成する平面視長矩形状の背面板１５と、この背面板１５の左右両端から前方に向けて突設される枠部１６と、枠部１６の各前端から外方に向けて連設されたフランジ片１７と、両側に形成された枠部１６のうち一方の枠部１６側に寄せて背面板１５から突設した仕切り片１８と、を一体に形成することで構成されている。この一方の枠部１６と仕切り片１８とで形成される広い側の空所をハニカム材収容空所１９とし、他方の枠部１６と仕切り片１８とで形成される狭い側の空所をサーキュレータ用連通路２０としている。
【００２３】
ベース材９の下端に設けられた下外郭部１０は、前面と上面とが開放した形状にて形成されており、前端部における左右両辺からは外方に向けて下フランジ部２１が設けられている。この下外郭部１０の内側上部には拡散ガイド部２２が設けられている。本実施形態の拡散ガイド部２２は２対のガイド片２２ａによって構成されており、一対の対向するガイド片２２ａが上方ほど離間するようにして設けられている。この拡散ガイド部２２と下外郭部１０の内部の空間とで拡散部６を構成しており、この拡散部６は、吸気部１ａから吸気した空気を内装パネルＡの幅方向に拡散させて、吸気部１ａから吸気した空気を幅方向に略均一な状態で上方のハニカム材５に至らせることができるものである。また、上述したベース材９におけるサーキュレータ用連通路２０の下部には、このサーキュレータ用連通路２０に連通するようにサーキュレータ用導入部２３が形成されており、本実施形態においては拡散部６に隣接して形成されている。
【００２４】
さらに本実施形態においては、この下外郭部１０内にシロッコファンにより構成された送風手段８が設けられている。上述した拡散ガイド部２２の下部に設けられたシロッコファン（図中の中央部と左側のシロッコファン）を送風手段８としての調湿／脱臭用ファン２４として、その吐出方向を拡散ガイド部２２に向けて設置してある。また、サーキュレータ用連通路２０の下部に設けられたシロッコファン（図中の右側のシロッコファン）を送風手段８としての循環用ファン２５として、その吐出方向をサーキュレータ用導入部２３に向けて設置してある。
【００２５】
また、図２に示すように、この下外郭部１０の前面には板状のファンカバー２６が配設されており、ファンカバー２６の上記シロッコファンの吸入部位（シロッコファンの回転中心部）に対応する部位（本実施形態では、調湿／脱臭用ファン２４と循環用ファン２５とに対応する３箇所）には吸気部１ａからの空気を連通させる連通穴２７が穿設されている。また、このファンカバー２６の前面側の上部には内装パネルＡの前面板１２の下端部に当接する当接片２８が突設されている。なお、この当接片２８は、このファンカバー２６を下外郭部１０に固設した上で、当接片２８に前面板１２の下端部を当接して前面板１２を固着するようにすれば、簡単に前面板１２の位置決めをすることができるというものである。
【００２６】
このファンカバー２６の前面には、脱臭フィルタ２９が配設されており、この脱臭フィルタ２９は吸気部１ａから吸気した空気の脱臭を行なうものである。本実施形態においては、この脱臭フィルタ２９として活性炭脱臭フィルタを用いている。
【００２７】
ベース材９の上端に設けられた上外郭部１１は、前面と下面とが開放した形状を有しており、前端部における左右両辺からは外方に向けて上フランジ部３０が設けられている。この上外郭部１１の内側は、ベース材９のハニカム材収容空所１９と連続するようにして設けられた調湿／脱臭側空所３１と、サーキュレータ用連通路２０と連続するようにして設けられた循環側空所３２とが、上外郭用仕切り３３によって区画されて形成されている。この上外郭用仕切り３３は、上部ほど調湿／脱臭側空所３１側に傾斜するようになっており、要するに、調湿／脱臭側空所３１が上部ほど幅狭になるように構成されている。
【００２８】
また、上外郭部１１の内側上部には制御回路３５が配設されており、上述の送風手段８、及び、前板部に設けられた後述する操作部３６と電気的に接続され、この操作部３６を操作することにより送風手段８のＯＮ／ＯＦＦや送風手段８による風力の強弱の調整を制御できるようになっている。本実施形態において、これらの制御は調湿／脱臭用ファン２４と循環用ファン２５とで独立して個々に操作できるように構成されている。さらに、この制御回路３５は、コンセント等の家庭用給電部に接続される給電用の電源コードが接続されており、この電源コードを介して送風手段８が駆動することができるように構成される。
【００２９】
このような上外郭部１１の前面には制御部カバー３７が配設される。
【００３０】
この制御部カバー３７は、ハニカム材５を通過して上昇してきた空気を上外郭部１１の前面に配される排気部２ａに向けて方向転換させる斜片３８と、斜片３８の上端から上方に向けて連設される垂片３９とで構成されており、斜片３８の一部には固着具挿通穴が穿設されている。この制御部カバー３７を上外郭部１１に固設した状態において、ベース材９の仕切り片１８と対応する部位には間仕切りが設けられている。この制御部カバー３７を設けることにより、制御回路３５が流動する空気に晒されて劣化したり故障したりするのを防止することができる。
【００３１】
さらに、この制御部カバー３７を上外郭部１１に固設すれば、制御部カバー３７の斜片３８によって上外郭部１１の調湿／脱臭側空所３１が区画されるようになり、ハニカム材５の上端と排気部２ａとの間を連通する連通部７が形成される。
【００３２】
図１に示すように、本実施形態の前面板１２は平面視長矩形状の板材によって構成されており、長手方向の略中間部位で、且つ、一方の長辺側に寄った部位には前述した操作部３６が設けられている。この操作部３６は、調湿／脱臭用ファン２４及び循環用ファン２５のＯＮ／ＯＦＦ、並びに、調湿／脱臭用ファン２４及び循環用ファン２５による風力の強弱の操作を、調湿／脱臭用ファン２４と循環用ファン２５とで独立して行なうことができるようになっている。この操作部３６の電気配線は、前面板１２の裏面側から取り出され、さらに前面板１２の裏面に沿って上部に向けて配され、制御回路３５と電気的に接続できるように配される。
【００３３】
冒頭に述べたように、この前面板１２の上端に排気部カバー１３が設けられ、前板の下端に吸気部カバー１４が設けられている。
【００３４】
この吸気部カバー１４には、幅方向の略全長に亘って吸気口４０が設けられており、この吸気口４０の前面には複数の羽板を並設して設けられたルーバー４１が配設されている。本実施形態においては、吸気口４０にルーバー４１を備えることで吸気部１ａを構成しており、この吸気部１ａによって外部の空気を内装パネル本体３の内部に取り入れることができる。
【００３５】
また排気部カバー１３もこの吸気部カバー１４と略同様の構成となっており、排気部２ａは、排気部カバー１３の幅方向の略全長に亘って設けられた排気口４２に、この排気口４２の前面に設けられたルーバー４３を備えることで構成してあり、この排気部２ａは、吸気部１ａから内装パネル本体３内部に取り入れた空気を、外部に排出することができる。
【００３６】
なお、この吸気部１ａ及び排気部２ａは、吸気口４０及び排気口４２の前面にルーバー４１，４３を設けないものであってもよい。
【００３７】
上記のような内装パネル本体３内は、吸気部カバー１４に設けられた吸気部１ａから吸い込んだ空気は、ファンカバー２６の連通穴２７、拡散部６、ハニカム材収容空所１９、連通部７、排気部２ａの順に通気し、つまり、吸気部１ａと排気部２ａとを連通するようにして通気路４を形成している。
【００３８】
このように構成された内装パネル本体３の内部には、通気方向Ｂに連通させるようにして（つまり、ハニカム材５の貫通路４４が上下方向に向くようにして）ハニカム材５が収容されている。
【００３９】
このハニカム材５は、内装パネル本体３の厚み内に収まる扁平な形状で形成されており、詳しくは、内装パネル本体３の上下方向の略全長に亘る長さ（内装パネル本体３における拡散部６上端から連通部７下端に亘る長さ）で、且つ、通気路４内の幅方向の略全長（通気方向Ｂと略直角な方向の略全長）に亘って形成されており、ハニカム構造を有する調湿材によって形成されている。さらに、このハニカム構造を成す貫通路４４は長手方向に平行となるように（つまり上下方向に）貫通して設けられており、ハニカム材５の上端及び下端に貫通路４４の開口が位置するように構成されている。この調湿材は、調湿材に接触する空気との湿度差によって空気中の湿気を吸収したり放出したりする性質を有する材料により形成されており、具体的には、珪藻土、シリカ、ゼオライト、セピオライト、アタパルジャイト、モンモリロナイト、ゾノトライト等が好適に使用される。これらは、１種類のみを単独で使用してもよいし、複数種類を組み合わせて使用することも可能である。
【００４０】
なお、一般的にハニカム構造とは、六角形状の貫通路４４が隔壁を介して多数並設された蜂の巣状の多孔材の構造をいうが、ここでいうハニカム構造とは、正方形や長方形、その他の多角形並びに円形や楕円形などの断面孔形状をも含む。つまり、本願においては、孔形状を問わず貫通路４４が隔壁を介して多数並設されたものであれば、ハニカム構造の範疇に含まれるものとしている。
【００４１】
上記のように構成された内装パネルＡの各要素を組み立てるには、以下のようにして行なう。
【００４２】
最初にベース材９の下端部に送風手段８を配設しておいた下外郭部１０を固着すると共に、ベース材９の上端部には、制御回路３５の前面に制御部カバー３７をあらかじめ配設しておいた上外郭部１１を固着する。次に、内装パネルＡの略全長に亘って形成された扁平なハニカム材５をベース材９のハニカム材収容空所１９内に配設する。この時、拡散ガイド部２２の上端にハニカム材５の下端が当接するようになる。そして、ファンカバー２６を装着することで、ファンカバー２６の上端部でハニカム材５の下端部をベース材９側にやや押圧するようになっており、これにより、内装パネルＡの運搬時や施工時等におけるハニカム材５の位置ずれが防止されることになる。
【００４３】
次に、前面板１２をファンカバー２６の当接片２８に当接して位置決めしながら、ベース材９のフランジ片１７に前面板１２を固着する。その状態で、ファンカバー２６の前面に脱臭フィルタ２９を介して吸気部カバー１４を装着する。詳しくは、吸気部カバー１４の裏面に設けられた係止部（図示せず）を下外郭部１０の下フランジ部２１に設けられた被係止部（図示せず）に係止して係着できるようになっている。さらに、上外郭部１１の前面に排気部カバー１３を装着する。同様に、排気部カバー１３の裏面に設けられた係止部（図示せず）を上外郭部１１の上フランジ部３０に設けられた被係止部（図示せず）に係止して係着する。
【００４４】
上記のように構成された内装パネルＡの動作を以下に説明する。
【００４５】
調湿／脱臭用ファン２４を操作部３６により操作して駆動させると、吸気部１ａから吸込んだ空気が脱臭フィルタ２９を通過してシロッコファン内に入り込む。この時、脱臭フィルタ２９を通過することで、空気内の嫌な臭いは脱臭されて無臭の空気となる。そしてこのシロッコファン内の空気は、回転駆動するシロッコファンによってハニカム材５（上方）に向かって移動しながら拡散ガイド部２２によってガイドされて、通気方向Ｂ（上下方向）とは直角な方向（幅方向）に拡散する。拡散された空気はハニカム材５の通気方向Ｂ（上下方向）とは直角な方向の略全長に行き亘ることとなり、ハニカム材５の下端部の貫通路４４の開口から、未調湿の空気がハニカム材５の幅方向に略均等な状態で入り込み、反対側の端部に向けて通流するようになる。このとき、このハニカム材５は通気方向Ｂにおける内装パネル本体３の略全長に亘る長さに長く形成されているから、本実施形態のように送風手段８によって通気を促進してハニカム材５内の空気の移動速度を速くした場合であっても、十分且つ確実な調湿を行なうことができる。そして、この調湿された空気がハニカム材５の排気部２ａ側の端部から放出され、連通部７を経て排気部２ａから放出される。
【００４６】
一方、循環用ファン２５を操作部３６により操作して駆動させると、吸気部１ａから吸込んだ空気が循環用ファン２５を経てサーキュレータ用連通路２０を通り、さらに循環側空所３２を介して排気部２ａからこの空気を排出する。これにより、室内の空気を循環することができるようになる。しかも、調湿／脱臭用ファン２４と循環用ファン２５との強弱の操作を、独立して操作できるように構成しているから、室内の空気の循環を促進しながら、室内空気の調湿をゆっくりと行なうことも可能となる。
【００４７】
上述の通り本発明は拡散部６を設けることで、ハニカム材５を扁平で且つ上下に長く設けることができるようになったので、内装パネルＡの厚みの薄さを保ったまま、従来の技術と比較して大幅に調湿効果が向上するものとなる。
【００４８】
また、上下端部に吸気部１ａと排気部２ａとをそれぞれ離れるようにして設けたから、仮に送風手段８を使用しない場合であっても（すなわち、吸気部１ａからの風量が小さくても）、ショートパスを起こすことなく、効率良く空気を循環することができるため、確実に調湿効果を発揮することができる。
【００４９】
しかも、本発明のように拡散部６を設けることで、ハニカム材５の幅方向の全長に亘って、略均等に未調湿の空気を行き亘らせることができるようになったので、ハニカム材５の中央近傍の特定の貫通路４４のみ集中的に使用することによってこの部分のみ劣化してしまい、一部のみの劣化にもかかわらずハニカム材５全体としての交換が必要となる、という事態を防ぐことができる。つまり、ハニカム材５の調湿性能の劣化が、全体として略均等に劣化していくことになり、その結果、ハニカム材５の長寿命化を図ることができる。
【００５０】
なお、本実施形態のハニカム材５は調湿性能を有するように形成したが、このハニカム材５を活性炭から成る脱臭用のハニカム材５として脱臭性能を有するようにしたものを用いてももちろんよい。
【００５１】
次に、第２の実施形態について図３に基づいて説明する。なお、本実施形態は上記実施形態と大部分について同じであるため、主に異なる部分についてのみ説明する。
【００５２】
本実施形態の内装パネルＡは、ハニカム材５の構成が上記実施形態のものと異なっている。すなわち、上下に長いハニカム材５のうちの一部（本実施形態ではハニカム材５の下部）に活性炭から成る脱臭用のハニカム材５ｂを設け、それ以外の部分を調湿用のハニカム材５ａを形成して、ハニカム材５全体として扁平で上下に長いハニカム材５を構成したものである。
【００５３】
これによりファンカバー２６の前面に設けた脱臭フィルタ２９を設けなくても脱臭効果が十分に発揮できるのであるが、本実施形態においては、より脱臭効果を向上させるために、ファンカバー２６の前面にはあえて脱臭フィルタ２９を配設してある。
【００５４】
このような構成のハニカム材５を使用することにより、吸気部１ａにより吸込んだ空気を排気部２ａにより排出するに当たり、調湿効果はもちろんのこと、脱臭効果も十分且つ確実に発揮することができるようになる。
【００５５】
更に言えば、ハニカム材５によって脱臭する前に、臭気の大部分を脱臭フィルタ２９によって脱臭するようにしているから、メンテナンス時に交換を要する部分は脱臭フィルタ２９のみでよい。つまり、本実施形態によれば、脱臭フィルタ２９の交換も非常に簡単にできるようになっているのである。
【００５６】
次に、第３の実施形態について説明する。なお、本実施形態は第１の実施形態と大部分について同じであるため、主に異なる部分についてのみ説明する。
【００５７】
本実施形態の内装パネルＡは、ベース材９のサーキュレータ用連絡路の上方の上外郭部１１内に、シロッコファンから成る反転用循環ファン（図示せず）を設けた点で第１の実施形態とは異なっている。詳しく説明すると、反転用循環ファンの吐出側をサーキュレータ用連絡路に向けるように配設し、さらにこの反転用循環ファンと制御回路３５とを電気的に接続すると共に操作部３６でこの反転用循環ファンのＯＮ／ＯＦＦ並びに送風強さの強弱を操作できるように構成してある。
【００５８】
本実施形態の内装パネルＡの使用時の動作を説明する。
【００５９】
まず、下外郭部１０にある循環用ファン２５を回転させる循環運転は夏場の冷房使用時に使用すると効果的である。すなわち、冷房時に循環用ファン２５を駆動させることで、冷房時における室内下方に滞留した冷気を吸気部１ａから取り入れて、排気部２ａから排出するといった空気循環を行うことができるようになり、これにより室内における温度分布を均等なものとすることができる。
【００６０】
次に、上外郭部１１にある反転用循環ファンを回転させる循環運転は冬場の暖房使用時に使用すると効果的である。すなわち、暖房時に反転用循環ファンを駆動させることで、暖房時の天井近傍に滞留した暖気を天井近傍の開口（つまり排気部２ａ）から取り入れて、床面近傍の開口（つまり吸気部１ａ）から排出するといった空気循環を行うことができるようになり、これにより室内における温度分布を均等なものとすることができる。
【００６１】
なお、これらの構成を第２の実施形態に適用することができるのはもちろんのことである。
【００６２】
次に、第４の実施形態について説明する。なお、本実施形態は第１の実施形態と大部分について同じであるため、主に異なる部分についてのみ説明する。
【００６３】
本実施形態の内装パネルＡは、全体として横長の内装パネルＡとなっている。この横長の内装パネルＡの左右端部のうちの一方の端部に吸気部１ａを設けると共に、他方の端部に排気部２ａを設けて内装パネル本体３を構成してある。つまり、第１の実施形態における通気方向Ｂを左右方向としている点で異なり、その他の構成は第１の実施形態の構成と略同じとなっている。
【００６４】
もちろん、これらの構成を第２の実施形態や第３の実施形態に適宜適用することができる。
【００６５】
上記の内装パネルＡを設置する天井面、壁面、床面等の建物の内装面の形状に応じて、第１乃至第３の実施形態のような縦長の内装パネルＡと、この第４の実施形態のような横長の内装パネルＡとを適宜選択して配設することができる。
【００６６】
以上のように構成された内装パネルＡは、建物の内装面に配設されるのであるが、本発明の内装パネルＡの取り付けは以下のようにして行なう。なお、以下においては第１の実施形態の内装パネルＡに基づいて説明するが、第２乃至第４の実施形態の内装パネルＡにおいても同様に施工できるものであるのはもちろんのことである。
【００６７】
図４に示す取り付け方法は、対向する２つの間柱４５間に本発明の内装パネルＡを配設するものである。詳しく説明すると、まず、間柱４５間の対向する面にベース材９の枠部１６が当接又は近接対向するようにして位置させ、この間柱４５の前面に上外郭部１１の上フランジ部３０と下外郭部１０の下フランジ部２１とを当接する。この間柱４５の前面にこれらを当接した状態を維持したまま、上フランジ部３０の前面から固着具を挿通して間柱４５に固着すると共に、下フランジ部２１の前面から固着具を挿通して間柱４５に固着する。
【００６８】
このように配設すれば、厚みのある部分を間柱４５間に埋め込むことができて、室内側のスペースをより広く確保することができるようになる。
【００６９】
次に、図５に示す取り付け方法は、間柱４５の前面に壁材を配設したものに対して本発明の内装パネルＡを取り付けるものである。詳しく説明すると、壁面４６の前面の所望の部位に本発明の内装パネルＡを位置させ、ベース材９の背面板１５を壁面に当接させた状態で、ベース材９の背面板１５の前面から固着具挿通孔を挿通して、壁面４６にベース材９を固着一体化する。
【００７０】
このように固設すれば、既存の壁面４６に対して本発明の内装パネルＡを設置することができる。例えば、棚や収納箱の間のスペースにある壁面４６を利用して取り付けてもいいし、本発明の内装パネルＡと、この内装パネルＡと面一状に配設できるような本発明の内装パネルＡと外観が略同じ内装パネルＡと、を壁一面に面一状になるように配設して統一感のある室内外観を呈するように取り付けてもよい。
【００７１】
また、上外郭部１１の上フランジ部３０及び下外郭部１０の下フランジ部２１の背面側に枠部１６の厚みと略同じ厚みのスペーサー部材４７を配設し、壁面４６の前面とベース材９の背面板１５と当接しながら、上フランジ部３０及び下フランジ部２１の前面から固着具を挿通して、このスペーサー部材４７を介して壁面にこの上フランジ部３０及び下フランジ部２１を固着するように取り付けてもよい（図５参照）。
【００７２】
以上のように本発明の内装パネルＡを室内に取り付けることで、別途調湿機を置くスペースを確保しなくても、本発明の内装パネルＡは、調湿及び脱臭効果を確実に発揮することができるから、室内の省スペース化を図りながら、室内をすっきりとしたシンプルな外観にすることができる。
【００７３】
以上、本発明の内装パネルを説明したが、上記実施形態における吸気部１ａと排気部２ａとをそれぞれ入れ替えてもよい。つまり、第１乃至第３の実施形態において、前面板１２の上部に吸気部１ａを設けると共に、前面板１２の下部に排気部２ａを設けるようにしてもよいものとする。
【符号の説明】
【００７４】
１      第１の通気開口
１ａ    吸気部
２      第２の通気開口
２ａ    排気部
３      内装パネル本体
４      通気路
５      ハニカム材
６      拡散部
７      連通部
８      送風手段
１２    前面板
１３    排気部カバー
１４    吸気部カバー
３６    操作部
４０    吸気口
４１    ルーバー
４２    排気口
４３    ルーバー
Ａ      内装パネル
Ｂ      通気方向
【図１】
2010180559.tif 000003
【図２】
2010180559.tif 000004
【図３】
2010180559.tif 000005
【図４】
2010180559.tif 000006
【図５】
2010180559.tif 000007